(57)【要約】【課題】自動戸閉する引き戸を戸開位置に安定状態に保持するエレベーター引き戸の仮設戸閉阻止具を得る。【解決手段】上阻止片１０及び下阻止片７の両者を主要部材とする仮設戸閉阻止具を敷居の案内溝内に配置し上記両者を押圧ねじ１４により押圧する。これにより、上記両者の互いに接して配置された斜面８，１１の滑りによる案内溝幅方向変位による案内溝側壁の押圧作用により上記両者を敷居に装着する。このため、上記両者が保守作業時の振動等によって外れて引き戸が戸閉し保守作業に支障が発生したり、また上記両者が脱落してエレベーターの昇降路に落下して二次的な障害を生じたりすることを防止することができる。そして、引き戸を戸開状態に不安なく保持できて保守等の作業能率を向上する。【選択図】　　　　図１
2004051309.tif 000002
【特許請求の範囲】
【請求項１】
エレベーターの出入口を開閉する引き戸の開閉動作を案内する案内溝が設けられて上記出入口の下縁部に配置された敷居、上記案内溝の溝幅に対して空隙を形成して上記案内溝に嵌合されて上端が上記案内溝の上縁よりも下降した位置に配置され、上面に上記溝幅方向における一側から他側に向かって下降する斜面が形成された下阻止片と、下面に上記下阻止片の斜面に対応した斜面が形成され上記下阻止片の上側に配置されて、上記案内溝の溝幅に対して空隙を形成して上記案内溝に嵌合された上阻止片と、この上阻止片を上下方向に貫通して設けられて長手が上記溝幅方向に配置された長穴に上方から挿通され、上記下阻止片にねじ込まれて上記上阻止片を上記下阻止片に押圧して、上記上阻止片及び下阻止片をそれぞれ上記案内溝の互いに対向した側壁方向に変位させる押圧ねじとを備えたエレベーター引き戸の仮設戸閉阻止具。
【発明の詳細な説明】
【０００１】
【発明の属する技術分野】
この発明は、保守作業時等に出入口を開閉する引き戸を戸開位置に保持するエレベーター引き戸の仮設戸閉阻止具に関する。
【０００２】
【従来の技術】
図４〜図６は、従来のエレベーター引き戸の仮設戸閉阻止具を示す図で、図４はエレベーターの乗場出入口を概念的に示す横断平面図、図５は図４の引き戸の戸閉阻止状態を示す図、図６は図５の楔片の拡大斜視図である。図において、１はエレベーターの乗場出入口２の縁部を構成する三方枠、３は乗場出入口２の下縁部を形成した敷居で、案内溝４が設けられている。
【０００３】
５は乗場出入口２を開閉する引き戸で、図示が省略してあるが下端に設けられた戸の脚が敷居３の案内溝４に移動自在に係合されて、開閉動作時に戸の脚が案内溝４に案内されて移動する。６は楔片で、保守作業時等に三方枠１の側枠と戸開した引き戸５との隙間に圧入されて仮設され、戸閉方向に付勢された引き戸５の戸閉を阻止する。
【０００４】
従来のエレベーター引き戸の仮設戸閉阻止具は上記のように構成され、楔片６の尖端側が三方枠１の側枠と引き戸５の隙間に圧入されて摩擦力によって圧入状態に保持される。そして、出入口２を開閉し、また戸閉方向に付勢された引き戸５を保守作業時等に戸開位置に保持するようになっている。
【０００５】
【発明が解決しようとする課題】
上記のような従来のエレベーター引き戸の仮設戸閉阻止具では、楔片６が三方枠１の側枠と引き戸５の隙間に圧入されて摩擦力によって圧入状態に保持されるので、保守作業時の振動等によって楔片６が外れて引き戸５が戸閉し保守作業に支障が発生したり、脱落した楔片６がエレベーターの昇降路に落下して二次的な障害を生じたりするという問題点があった。
【０００６】
この発明は、かかる問題点を解消するためになされたものであり、引き戸を戸開位置に安定状態に保持するエレベーター引き戸の仮設戸閉阻止具を得ることを目的とする。
【０００７】
【課題を解決するための手段】
この発明に係るエレベーター引き戸の仮設戸閉阻止具においては、エレベーターの出入口を開閉する引き戸の開閉動作を案内する案内溝が設けられて出入口の下縁部に配置された敷居、案内溝の溝幅に対して空隙を形成して案内溝に嵌合されて上端が案内溝の上縁よりも下降した位置に配置され、上面に溝幅方向における一側から他側に向かって下降する斜面が形成された下阻止片と、下面に下阻止片の斜面に対応した斜面が形成され下阻止片の上側に配置されて、案内溝の溝幅に対して空隙を形成して案内溝に嵌合された上阻止片と、この上阻止片を上下方向に貫通して設けられて長手が溝幅方向に配置された長穴に上方から挿通され、下阻止片にねじ込まれて上阻止片を下阻止片に押圧して、上阻止片及び下阻止片をそれぞれ案内溝の互いに対向した側壁方向に変位させる押圧ねじとが設けられる。
【０００８】
【発明の実施の形態】
実施の形態１．
図１〜図３は、この発明の実施の形態の一例を示す図で、図１は斜視図、図２は図１の仮設戸閉阻止具の仮設作業状況を説明する図、図３は図１の仮設戸閉阻止具の仮設状況を説明する図である。なお、図１〜図３における仮設戸閉阻止具は前述の図４に示すエレベーターの乗場出入口に仮設される。
【０００９】
図において、７は下阻止片で、敷居３の案内溝４の溝幅に対して空隙を形成して案内溝４に嵌合されて上端が案内溝４の上縁よりも下降した位置に配置され、上面に溝幅方向における一側から他側に向かって下降する斜面８が形成され、また上面に開口したねじ孔９が設けられている。
【００１０】
１０は上阻止片で、下面に下阻止片の斜面に対応した斜面１１が形成され下阻止片７の上側に配置されて、敷居３の案内溝４の溝幅に対して空隙を形成して案内溝４に嵌合され、また上下方向に貫通して設けられて長手が案内溝４の溝幅方向に配置された長穴１２が設けられている。１３は上阻止片１０上面の長穴１２位置に配置された座金である。
【００１１】
１４は蝶ボルトからなる押圧ねじで、上阻止片１０上面から座金１３及び長穴１２に挿通されて下阻止片７のねじ孔９にねじ込まれて、上阻止片１０を下阻止片７に押圧して、互いに接して配置された上阻止片１０の斜面８と下阻止片７の斜面１１における滑り作用によって、上阻止片１０及び下阻止片７をそれぞれ互いに対向した案内溝４の側壁方向に変位させる。
【００１２】
上記のように構成されたエレベーター引き戸の仮設戸閉阻止具において、上阻止片１０及び下阻止片７がそれぞれ斜面８，１１を接して配置されて、上阻止片１０の長穴１２に押圧ねじ１４が挿通されて、下阻止片７のねじ孔９にねじ込まれ上阻止片１０が下阻止片７を押圧しない状態とする。この状態で図２に示すように、上阻止片１０及び下阻止片７の両者が案内溝４の側壁との対向面を一致させて、引き戸５が戸開した敷居３の案内溝４に上記両者が挿入される。
【００１３】
次いで図２に示す状態において、押圧ねじ１４が締め込まれて上阻止片１０が下阻止片７に押圧される。これによって、互いに接した上阻止片１０の斜面８と下阻止片７の斜面１１との相互間における滑り作用によって、上記両者がそれぞれ案内溝４の側壁方向に変位して、それぞれ対向した案内溝４の側壁を押圧する。これにより、上記両者が案内溝４の側壁との摩擦力によって案内溝４の側壁に固定的に保持される。
【００１４】
このようにして、出入口２を開閉し、また戸閉方向に付勢された引き戸５が保守作業時等に戸開位置に保持される。そして、上阻止片１０及び下阻止片７の両者が敷居３の案内溝４内に配置されて案内溝４の側壁を押圧して装着される。このため、上記両者が保守作業時の振動等によって外れ、引き戸５が戸閉して保守作業に支障が発生したり、また上記両者が脱落してエレベーターの昇降路に落下して二次的な障害を生じたりすることを未然に防止することができる。
【００１５】
したがって、引き戸５を戸開状態に不安なく保持することができ保守等の作業能率を向上することができる。
また、前述の楔片６からなり保守作業時等に三方枠１の側枠と戸開した引き戸５との隙間に圧入して引き戸５の戸閉を阻止する仮設戸閉阻止具を使用したときに、楔片６の圧入によって引き戸５等に生じる変形、損傷を未然に防ぐことができる。
【００１６】
【発明の効果】
この発明は以上説明したように、エレベーターの出入口を開閉する引き戸の開閉動作を案内する案内溝が設けられて出入口の下縁部に配置された敷居、案内溝の溝幅に対して空隙を形成して案内溝に嵌合されて上端が案内溝の上縁よりも下降した位置に配置され、上面に溝幅方向における一側から他側に向かって下降する斜面が形成された下阻止片と、下面に下阻止片の斜面に対応した斜面が形成され下阻止片の上側に配置されて、案内溝の溝幅に対して空隙を形成して案内溝に嵌合された上阻止片と、この上阻止片を上下方向に貫通して設けられて長手が溝幅方向に配置された長穴に上方から挿通され、下阻止片にねじ込まれて上阻止片を下阻止片に押圧して、上阻止片及び下阻止片をそれぞれ案内溝の互いに対向した側壁方向に変位させる押圧ねじとを設けたものである。
【００１７】
これによって、上阻止片及び下阻止片の両者を主要部材とする仮設戸閉阻止具が敷居の案内溝内に配置されて案内溝の側壁を押圧して装着される。このため、上記両者が保守作業時の振動等によって外れて引き戸が戸閉し保守作業に支障が発生したり、また上記両者が脱落してエレベーターの昇降路に落下して二次的な障害を生じたりすることを未然に防止することができる。これにより、引き戸を戸開状態に不安なく保持することができて保守等の作業能率を向上する効果がある。
【図面の簡単な説明】
【図１】この発明の実施の形態１を示す斜視図。
【図２】図１の仮設戸閉阻止具の仮設作業状況を説明する図。
【図３】図１の仮設戸閉阻止具の仮設状況を説明する図。
【図４】従来のエレベーター引き戸の仮設戸閉阻止具を示す図で、エレベーターの乗場出入口を概念的に示す横断平面図。
【図５】図４の引き戸の戸閉阻止状態を示す図。
【図６】図５の楔片の拡大斜視図。
【符号の説明】
２　出入口、３　敷居、４　案内溝、５　引き戸、７　下阻止片、８　斜面、１０　上阻止片、１１　斜面、１２　長穴、１４　押圧ねじ。
【図１】
2004051309.tif 000003
【図２】
2004051309.tif 000004
【図３】
2004051309.tif 000005
【図４】
2004051309.tif 000006
【図５】
2004051309.tif 000007
【図６】
2004051309.tif 000008